(57)【要約】【課題】疑似的なオブジェクトを実世界のオブジェクトと同様に利用することが可能な表示制御装置、表示制御方法および記録媒体を提供する。【解決手段】疑似的なオブジェクトの種類と表示位置を設定する設定部と、前記設定された疑似的なオブジェクトの機能を、前記設定された表示位置の周辺に配されるデバイスに実装するためのパラメータを取得する取得部と、前記デバイスの一つである表示部に、前記パラメータに従って前記疑似的なオブジェクトを表示する表示制御部と、を備える、表示制御装置。【選択図】図３
2014106837.tif 000002
【特許請求の範囲】
【請求項１】
疑似的なオブジェクトの種類と表示位置を設定する設定部と、
前記設定された疑似的なオブジェクトの機能を、前記設定された表示位置の周辺に配されるデバイスに実装するためのパラメータを取得する取得部と、
前記デバイスの一つである表示部に、前記パラメータに従って前記疑似的なオブジェクトを表示する表示制御部と、
を備える、表示制御装置。
【請求項２】
前記設定部は、表示部に表示している疑似的なオブジェクトの種類と位置を変更可能である、請求項１に記載の表示制御装置。
【請求項３】
前記表示制御部は、前記表示部周辺に存在する実オブジェクトの位置に応じて、前記表示部に表示する前記疑似的なオブジェクトが前記実オブジェクトと重ならないよう表示位置を変更する、請求項１に記載の表示制御装置。
【請求項４】
前記設定部は、前記疑似的なオブジェクトのサイズを設定する、請求項１に記載の表示制御装置。
【請求項５】
前記デバイスは、音声出力部または撮像部を含む、請求項１に記載の表示制御装置。
【請求項６】
前記疑似的なオブジェクトは表示装置を含み、
前記表示制御部は、前記パラメータに従って、疑似的な表示装置の画像における表示面に、ユーザにより選択されたコンテンツの再生画面を配置する、請求項１に記載の表示制御装置。
【請求項７】
前記デバイスは、表示機能および音声出力機能を有し、
前記疑似的なオブジェクトは音声出力装置を含み、
前記表示制御部は、疑似的な音声出力装置の画像を前記パラメータに従って前記デバイスに表示し、
前記表示制御装置は、前記パラメータに従って、前記デバイスから音声を出力するための音声制御を行う音声制御部をさらに備える、請求項１に記載の表示制御装置。
【請求項８】
前記デバイスは、表示機能および撮像機能を有し、
前記疑似的なオブジェクトは鏡を含み、
前記表示制御部は、疑似的な鏡の画像を前記パラメータに従って前記デバイスに表示し、前記撮像機能により撮像した撮像画像に基づき、前記疑似的な鏡の配置領域に鏡像を配置する、請求項１に記載の表示制御装置。
【請求項９】
前記デバイスの表示面には、操作検出機能が設けられ、
前記疑似的なオブジェクトは操作機器を含み、
前記表示制御部は、疑似的な操作機器の画像を前記パラメータに従って前記デバイスに表示し、
前記表示制御装置は、疑似的な操作機器の画像に対するユーザ操作を前記操作検出機能により検出し、検出したユーザ操作に応じた制御を行う、請求項１に記載の表示制御装置。
【請求項１０】
前記疑似的なオブジェクトは部屋の内部であり、
前記表示制御部は、遠近処理を施した疑似的な部屋の内部の画像を前記パラメータに従って前記デバイスに表示する、請求項１に記載の表示制御装置。
【請求項１１】
前記疑似的なオブジェクトは窓を含み、
前記表示制御部は、前記パラメータに従って疑似的な窓の画像を表示し、窓枠内に屋外の画像を配置する、請求項１に記載の表示制御装置。
【請求項１２】
前記疑似的なオブジェクトは照明機器を含み、
前記表示制御部は、前記パラメータに従って疑似的な照明機器の画像を表示する、請求項１に記載の表示制御装置。
【請求項１３】
前記疑似的なオブジェクトは収納家具を含み、
前記表示制御部は、前記デバイスの表示面の後方に配置された実オブジェクトである収納家具の位置に対応するよう、疑似的な収納家具の画像を表示する、請求項１に記載の表示制御装置。
【請求項１４】
前記疑似的なオブジェクトは掲示板を含み、
前記表示制御部は、前記パラメータに従って疑似的な掲示板の画像を表示し、掲示板の枠内に、ユーザにより選択された静止画像または動画像を配置する、請求項１に記載の表示制御装置。
【請求項１５】
前記疑似的なオブジェクトの機能は、実世界における前記オブジェクトと等価な挙動を示す、請求項１に記載の表示制御装置。
【請求項１６】
疑似的なオブジェクトの種類と表示位置を設定するステップと、
前記疑似的なオブジェクトの機能を、前記表示位置の周辺に配されるデバイスに実装するためのパラメータを取得するステップと、
前記デバイスの一つである表示部に、前記取得するステップにより取得したパラメータに従って前記疑似的なオブジェクトを表示するよう制御するステップと、
を含む、表示制御方法。
【請求項１７】
コンピュータを、
疑似的なオブジェクトの種類と表示位置を設定する設定部と、
前記疑似的なオブジェクトの機能を、前記表示位置の周辺に配されるデバイスに実装するためのパラメータを取得する取得部と、
前記デバイスの一つである表示部に、前記取得部により取得したパラメータに従って前記疑似的なオブジェクトを表示するよう制御する表示制御部、
として機能させるための、プログラムが記録された記録媒体。
【発明の詳細な説明】
【技術分野】
【０００１】
本開示は、表示制御装置、表示制御方法および記録媒体に関する。
【背景技術】
【０００２】
近年、仮想空間を構築して表示し、ゲームやバーチャル体験を提供する技術が知られている。例えば、下記特許文献１では、画面上に表示された仮想ゲーム空間内の「モノ」に対して利用者がタッチペン等で操作を行うことで、その「モノ」の機能を発揮させて（点滅、開閉、左右移動、揺動等の動画表示）ゲームを進行する旨が明示されている。
【０００３】
また、下記特許文献２では、ディスプレイ上にバーチャルな三次元住居空間を作成して住居関連商品の３次元画像を配置し、クライアントのアバターを住居空間内で移動させて、テレビの視聴角度やインテリア効果が適切であるか疑似体験させるシステムが開示されている。
【先行技術文献】
【特許文献】
【０００４】
【特許文献１】特開２０１１−５０５７７号公報
【特許文献２】特開２００１−１５５１７９号公報
【発明の概要】
【発明が解決しようとする課題】
【０００５】
しかしながら、上記特許文献１、２に記載の技術は、ゲーム機器やＰＣ（パーソナルコンピュータ）のディスプレイ上で一時的に仮想空間を体験するものであって、仮想空間内の疑似的なオブジェクトを実世界のオブジェクトと同様に利用するという観点には何ら言及していない。
【０００６】
そこで、本開示では、疑似的なオブジェクトを実世界のオブジェクトと同様に利用することが可能な、新規かつ改良された表示制御装置、表示制御方法および記録媒体を提案する。
【課題を解決するための手段】
【０００７】
本開示によれば、
疑似的なオブジェクトの種類と表示位置を設定する設定部と、
前記設定された疑似的なオブジェクトの機能を、前記設定された表示位置の周辺に配されるデバイスに実装するためのパラメータを取得する取得部と、
前記デバイスの一つである表示部に、前記パラメータに従って前記疑似的なオブジェクトを表示する表示制御部と、
を備える、表示制御装置を提案する。
【０００８】
本開示によれば、
疑似的なオブジェクトの種類と表示位置を設定するステップと、
前記疑似的なオブジェクトの機能を、前記表示位置の周辺に配されるデバイスに実装するためのパラメータを取得するステップと、
前記デバイスの一つである表示部に、前記取得するステップにより取得したパラメータに従って前記疑似的なオブジェクトを表示するよう制御するステップと、
を含む、表示制御方法を提案する。
【０００９】
本開示によれば、
コンピュータを、
疑似的なオブジェクトの種類と表示位置を設定する設定部と、
前記疑似的なオブジェクトの機能を、前記表示位置の周辺に配されるデバイスに実装するためのパラメータを取得する取得部と、
前記デバイスの一つである表示部に、前記取得部により取得したパラメータに従って前記疑似的なオブジェクトを表示するよう制御する表示制御部、
として機能させるための、プログラムが記録された記録媒体を提案する。
【発明の効果】
【００１０】
以上説明したように本開示によれば、疑似的なオブジェクトを実世界のオブジェクトと同様に利用することが可能となる。
【図面の簡単な説明】
【００１１】
【図１】本開示の一実施形態による制御システムの概要を説明するための図である。
【図２】本開示の一実施形態による表示制御装置の内部構成例を示すブロック図である。
【図３】本開示の一実施形態による制御部の機能構成を示すブロック図である。
【図４】本開示の一実施形態による制御システムの動作処理を示すフローチャートである。
【図５】本開示の第１の実施形態による画像コンテンツの表示例を説明するための図である。
【図６】本開示の第２の実施形態による画像コンテンツの表示例を説明するための図である。
【図７】本開示の第３の実施形態による複数種類の疑似的なオブジェクトの表示例を説明するための図である。
【図８】本開示の第３の実施形態による同種類の疑似的なオブジェクトの表示例を説明するための図である。
【図９】本開示の第４の実施形態によるオーディオ出力部が表示部の背面に配置されている例を示す図である。
【図１０】本開示の第５の実施形態による疑似的な操作機器における機能実装について説明するための図である。
【図１１】本開示の第５の実施形態による疑似的な機器間の配線操作について説明するための図である。
【図１２】本開示の第６の実施形態において疑似的オブジェクトが鏡の場合について説明するための図である。
【図１３】本開示の第７の実施形態において疑似的オブジェクトが収納家具の場合について説明するための図である。
【図１４】本開示の第７の実施形態において疑似的オブジェクトが収納家具の場合について説明するための図である。
【図１５】本開示の第７の実施形態において、電子書籍を収納する場合について説明するための図である。
【図１６】本開示の第８の実施形態において疑似的オブジェクトが掲示板の場合について説明するための図である。
【図１７】本開示の第９の実施形態において疑似的オブジェクトが部屋の内部の場合について説明するための図である。
【図１８】本開示の第１０の実施形態において疑似的オブジェクトが窓の場合について説明するための図である。
【図１９】本開示の第１０の実施形態において疑似的オブジェクトが天窓の場合について説明するための図である。
【図２０】本開示の第１１の実施形態において疑似的オブジェクトが照明機器の場合について説明するための図である。
【図２１】本開示の第１２の実施形態において疑似的オブジェクトが絨毯の場合について説明するための図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、説明は以下の順序で行うものとする。
１．本開示の一実施形態による制御システムの概要
１−１．構成
１−２．動作処理
２．各実施形態
２−１．第１の実施形態
２−２．第２の実施形態
２−３．第３の実施形態
２−４．第４の実施形態
２−５．第５の実施形態
２−６．第６の実施形態
２−７．第７の実施形態
２−８．第８の実施形態
２−９．第９の実施形態
２−１０．第１０の実施形態
２−１１．第１１の実施形態
２−１２．第１２の実施形態
３．まとめ
【００１４】
＜１．本開示の一実施形態による制御システムの概要＞
まず、本開示の一実施形態による制御システムの概要について、図１を参照して説明する。
【００１５】
図１は、本開示の一実施形態による制御システムの概要を説明するための図である。図１に示すように、本実施形態による制御システムは、部屋の壁一面に設けられた表示部１２（壁面ディスプレイ）を有する表示制御装置１により、映画／ＴＶ番組／ゲーム等のコンテンツを大画面で再生することができる。
【００１６】
ここで、近年のテレビジョン装置のサイズは大型化しており、ユーザは大きな画面で映像を視聴することが可能である。しかしながら、部屋に設置できるテレビジョン装置のサイズは、他の家具等により制限されてしまうという難点があった。また、視聴する時間帯やコンテンツによっては大画面による視聴スタイルが好まれない場合もあった。さらに、大型のテレビジョン装置を配置した場合、テレビジョン装置を視聴していない時は装置を配置している広いスペースが無駄になってしまう。また、大型テレビジョンのデザインが他の家具や雰囲気と合わない場合、著しくインテリア効果を低下させてしまう。
【００１７】
そこで、本実施形態による表示制御装置１は、図１に示すように壁一面に設けられた表示部１２を有することで、大型のテレビジョン装置を配置するスペースを省き、大画面映像を再生することができる。
【００１８】
さらに、本実施形態による表示制御装置１は、住環境において壁面に設置される家具（テレビジョン装置、時計、音響機器等）や壁面に設けられる設備（窓、照明等）の画像（疑似的オブジェクト）を表示部１２に表示し、実世界の家具や設備と同等の挙動を実装させる。これにより、必要に応じて必要な家具や設備を利用することができ、壁面スペースを有効活用することができる。また、本実施形態による制御システムでは、家具や設備の配置、デザインも気分に応じてユーザが自由に変更することができる。
【００１９】
以上、本開示の一実施形態における制御システムの概要について説明した。続いて、本実施形態による制御システムに含まれる表示制御装置１の内部構成および制御システムの動作処理について順次説明する。
【００２０】
［１−１．構成］
図２は、本実施形態による表示制御装置１の内部構成例を示すブロック図である。図２に示すように、本実施形態による表示制御装置１は、制御部１０、表示部１２、オーディオ出力部１３、操作入力部１４、通信部１５、記憶部１６、映像演算部１７、オーディオ演算部１８、および撮像部１９を有し、これらはバス２０で接続されている。
【００２１】
制御部１０は、表示制御装置１の各構成に指令を出して表示制御装置１全体を制御する。例えば制御部１０は、操作入力部１４から入力されたユーザ操作に応じて、表示部１２を制御し、疑似的なオブジェクトを表示させる。なお、本実施形態による制御部１０の具体的な機能構成については、図３を参照して後述する。
【００２２】
表示部１２は、図１に示すように壁面に設けられ、制御部１０の指示に従って、静止画像または動画像を出力する機能を有する。具体的には、本実施形態による表示部１２は、疑似的なオブジェクトを表示したり、疑似的なオブジェクト内にコンテンツ（写真、映画、ＴＶ番組等）を配置したりする。また、表示部１２に表示される映像（画像）の全てまたは一部は、映像演算部１７により演算される。
【００２３】
また、表示部１２は、１の液晶パネル、有機ＥＬパネル、ＬＥＤディスプレイパネル、リアプロジェクションテレビ、またはフロントプロジェクションテレビで実現されてもよい。また、表示部１２は、複数の液晶パネル、有機ＥＬパネル、ＬＥＤディスプレイパネル、リアプロジェクションテレビ、またはフロントプロジェクションテレビが配列されて実現されてもよい。
【００２４】
オーディオ出力部１３は、制御部１０の指示に従って、オーディオ信号を出力する機能を有する。オーディオ出力部１３で出力されるオーディオ信号の全てまたは一部は、オーディオ演算部１８により演算される。また、オーディオ出力部１３は、スピーカ、アンプ、およびＤ／Ａコンバータ（デジタル−アナログ変換回路）により実現される。
【００２５】
操作入力部１４は、ユーザ操作の入力を受け付け、入力されたユーザ操作を制御部１０に出力する。具体的には、操作入力部１４は、ユーザに操作されるリモートコントローラから発信された信号を受信し、ユーザ操作の入力として受け付けてもよい。また、操作入力部１４は、表示部１２に一体的に設けられるタッチパネル等の位置入力デバイスにより実現されてもよい。さらに、操作入力部１４は、周辺の音声を集音するマイクロフォンおよび音声認識部により実現され、音声によるユーザ指示を受け付けてもよい。
【００２６】
通信部１５は、外部装置とデータの送受信を行う通信インターフェースである。本実施形態による通信部１５は、図２に示すように、ネットワーク４を介してサーバ３と接続し、必要に応じてデータの送受信を行う。例えば、通信部１５は、制御部１０の指示に従って、表示部１２やオーディオ出力部１３から出力するコンテンツのパラメータや素材データをサーバ３から受信する。
【００２７】
ここで、本明細書において、コンテンツの素材データとは、表示部１２に表示する疑似的オブジェクトの画像や、疑似的オブジェクト内に配置される静止画像／動画像、およびオーディオ出力部１３から出力するオーディオ信号を含む。また、コンテンツのパラメータとは、疑似的オブジェクトに対応付けられ、当該疑似的オブジェクトの機能を各デバイス（表示部１２、オーディオ出力部１３等）に実装するための情報を示す。
【００２８】
例えば、疑似的オブジェクトがテレビジョン装置の場合、テレビジョン装置画像のどの領域に再生画像を表示するかを示すパラメータが対応付けられる。また、疑似的オブジェクトがスピーカの場合、スピーカ画像の表示位置周辺に配されるオーディオ出力部１３をどう制御するかを示すパラメータが対応付けられる。さらに、疑似的オブジェクトが収納家具の場合、収納家具画像のどの部分に何が収納されているかを示すパラメータが対応付けられる。
【００２９】
記憶部１６は、制御部１０が各処理を実行するための各種プログラムの格納領域やワーキングメモリ領域を提供する。また、本実施形態による記憶部１６は、疑似的なオブジェクトのパラメータや素材データ、表示部１２やオーディオ出力部１３から出力する画像／音響コンテンツを格納する。
【００３０】
映像演算部１７は、表示部１２に表示する映像を生成する機能を有する。具体的には、本実施形態による映像演算部１７は、制御部１０の指示に従って、表示部１２に表示する疑似的オブジェクトを、記憶部１６や通信部１５から取得されたパラメータや素材データに基づいて生成する。
【００３１】
オーディオ演算部１８は、オーディオ出力部１３から出力するオーディオ信号を生成する機能を有する。具体的には、本実施形態によるオーディオ演算部１８は、制御部１０の指示に従って、記憶部１６や通信部１５から取得されたパラメータや素材データに基づいて生成する。
【００３２】
撮像部１９は、撮像素子（画像センサ）、撮像レンズを含む撮像光学系、および撮像画像信号処理部を含み、デジタル信号とされた撮像画像のデータを出力する。なお、撮像素子は、例えばＣＣＤ（Ｃｈａｒｇｅ  Ｃｏｕｐｌｅｄ  Ｄｅｖｉｃｅ）イメージャやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャにより実現される。Ｍｉｃ２４は、周辺の音声を集音する集音部であって、デジタル信号とされた音声データを出力する。
【００３３】
また、本実施形態による撮像部１９は、表示部１２に埋め込まれる１以上の画像センサおよび撮像レンズにより実現されてもよいし、表示部１２の周辺または部屋全体を撮影できるよう表示部１２が設けられる壁面とは異なる壁面や天井に設置されてもよい。
【００３４】
（制御部１０の機能構成）
以上、本実施形態による表示制御装置１の内部構成について説明した。続いて、上記制御部１０の機能構成について図３を参照して説明する。図３は、本実施形態による制御部１０の機能構成を示すブロック図である。
【００３５】
図３に示すように、本実施形態による制御部１０は、設定部１１０、パラメータ取得部１２０、表示制御部１３０、および音声出力制御部１４０として機能する。
【００３６】
設定部１１０は、疑似的なオブジェクトの種類と表示部１２における疑似的なオブジェクトの画像の表示位置を設定する。例えば設定部１１０は、インテリアのテーマに応じて予め登録されたオブジェクトの種類と位置で設定してもよいし、ユーザ操作に応じてオブジェクトの種類と位置を設定してもよい。また、設定部１１０は、疑似的なオブジェクトの表示サイズも設定してもよい。
【００３７】
パラメータ取得部１２０は、上記設定部１１０により設定された疑似的なオブジェクトの機能を、上記設定部１１０により設定された表示位置周辺に配されるデバイス（例えば表示部１２、オーディオ出力部１３、撮像部１９）に実装するためのパラメータを取得する。例えばパラメータ取得部１２０は、記憶部１６から、または通信部１５を介してサーバ３からパラメータを取得する。ここで、疑似的なオブジェクトの機能とは、実世界における同オブジェクトと等価な（同等な）挙動を示す。
【００３８】
表示制御部１３０は、上記設定部１１０により設定された表示位置に、疑似的なオブジェクトの画像を表示するよう制御する。疑似的なオブジェクトの画像は、記憶部１６から、または通信部１５を介してサーバ３から取得する。また、表示制御部１３０は、ユーザ操作に応じて、表示部１２に表示する疑似的なオブジェクトの種類、サイズ、表示位置等を変更可能である。
【００３９】
また、表示制御部１３０は、上記パラメータ取得部１２０により取得されたパラメータに従って疑似的なオブジェクトの表示制御を行う。具体的には、例えば疑似的なオブジェクトがテレビジョン装置の場合、表示制御部１３０は、パラメータに従ってテレビジョン装置の画像における表示面部分（配置領域）に、ユーザにより選択された画像コンテンツの再生画面を配置する。
【００４０】
なお、表示制御部１３０は、表示部１２周辺に存在する実オブジェクトの位置に応じて、表示部１２に表示する疑似的なオブジェクトが実オブジェクトと重ならないよう、疑似オブジェクトの表示位置を変更してもよい。
【００４１】
音声出力制御部１４０は、上記パラメータ取得部１２０により取得されたパラメータに従って、オーディオ出力部１３から所定の音声コンテンツ（オーディオ信号）を出力するよう制御する。具体的には、例えば疑似的なオブジェクトがスピーカの場合、音声出力制御部１４０は、パラメータに従ってスピーカの大きさ／種別／性能等に応じたレベルで、ユーザにより選択された音響コンテンツを出力するよう制御する。
【００４２】
なお、音声出力制御部１４０は、オーディオ出力部１３から出力するオーディオ信号をオーディオ演算部１８により演算させてもよい。
【００４３】
［１−２．動作処理］
次に、本開示の一実施形態による制御システムの動作処理について説明する。図４は、本開示の一実施形態による制御システムの動作処理を示すフローチャートである。
【００４４】
図４に示すように、まず、ステップＳ１０３において、制御部１０の設定部１１０は、疑似的オブジェクトの種類や表示位置を設定するユーザ操作（設定操作）が操作入力部１４から入力されたか否かを判断する。
【００４５】
次いで、設定操作があった場合（Ｓ１０３／Ｙｅｓ）、ステップＳ１０６において、制御部１０は、サーバ接続要求が必要か否かを判断する。
【００４６】
次に、サーバ接続が必要な場合（Ｓ１０６／Ｙｅｓ）、制御部１０のパラメータ取得部１２０は、通信部１５からネットワーク４を介してサーバ３に接続し、サーバ３から設定された疑似的オブジェクトのパラメータや素材データを取得する。
【００４７】
一方、サーバ接続が必要でない場合（Ｓ１０６／Ｎｏ）、制御部１０のパラメータ取得部１２０は、記憶部１６（メモリ）から設定された疑似的オブジェクトのパラメータや素材データを取得する。
【００４８】
次いで、ステップＳ１１５において、制御部１０は、取得したパラメータに従って、映像、音声の加工演算処理を行う。具体的には、制御部１０は、表示部１２に対する表示信号の演算や、オーディオ出力部１３に対するオーディオ信号の演算を行う。また、制御部１０は、映像演算部１７およびオーディオ演算部１８にこれらの加工演算処理を実行させてもよい。
【００４９】
続いて、ステップＳ１１８において、制御部１０は、表示部１２に対する映像出力制御、またはオーディオ出力部１３に対する音声出力制御を行う。具体的には、本実施形態による制御部１０は、疑似オブジェクトの画像を表示部１２に表示するよう制御し、さらに当該疑似オブジェクトの機能を実装させるよう所定のデバイス（表示部１２、オーディオ出力部１３、撮像部１９等）を制御する。
【００５０】
例えば疑似オブジェクトがテレビジョン装置の場合、制御部１０の表示制御部１３０は、表示部１２に表示するテレビジョン装置の表示画面部分に、ユーザに選択された画像コンテンツの再生画面を配置するよう制御する。これにより、表示部１２に表示された疑似的なテレビジョン装置が、実世界のテレビジョン装置と同等に画像コンテンツを再生することができる。
【００５１】
また、疑似オブジェクトがスピーカの場合、制御部１０の音声出力制御部１４０は、表示部１２に表示するスピーカの周辺に配置されているオーディオ出力部１３から、ユーザに選択された音響コンテンツを出力するよう制御する。これにより、表示部１２に表示された疑似的なスピーカが、実世界のスピーカと同等に音響コンテンツを再生することができる。
【００５２】
なお、上記Ｓ１０３において、疑似オブジェクトの設定操作（疑似オブジェクトの変更指示）がない場合（Ｓ１０３／Ｎｏ）、ステップＳ１１８において、制御部１０は、現状の映像、音声出力制御を継続する。
【００５３】
そして、ステップＳ１２１において、制御部１０は、操作終了の指示（例えば電源ＯＦＦの指示や、疑似的オブジェクトの表示終了の指示）があるまで、上記Ｓ１０３〜Ｓ１１８を繰り返す。
【００５４】
以上、本開示の一実施形態による制御システムの動作処理について説明した。上述したように、表示部１２に表示する疑似的オブジェクトは、テレビジョン装置やスピーカ等様々想定される。以下、具体的な疑似的オブジェクトの表示および機能実装について、複数の実施形態を用いて説明する。
【００５５】
＜２．各実施形態＞
［２−１．第１の実施形態］
図５は、第１の実施形態による画像コンテンツの表示例を説明するための図である。図５に示すように、表示制御装置１は、壁面に設けられた表示部１２全体に、ユーザに選択された画像コンテンツ３０を表示する。これにより、ユーザは、大画面で画像コンテンツ３０を視聴することができる。
【００５６】
なお、図５に示す例では、表示部１２全体に画像コンテンツ３０を表示しているが、表示制御装置１は、表示部１２全体に疑似的なテレビジョン装置を表示し、当該テレビジョン装置の表示画面部分に画像コンテンツ３０を配置してもよい。
【００５７】
［２−２．第２の実施形態］
上記第１の実施形態では、壁面に設けられた表示部１２全体に画像コンテンツ３０を表示するが、住環境において、壁面には様々な家具が設置されることが想定される。その場合、画像コンテンツ３０の一部が家具に隠れて見えなくなってしまう。そこで、第２の実施形態では、表示制御装置１は、表示部１２の周辺に存在する実オブジェクトの位置に応じて、表示部１２に表示する画像コンテンツ３０または疑似的なオブジェクトが実オブジェクトと重ならないよう表示位置を変更する。以下、図６を参照して具体的に説明する。
【００５８】
図６は、第２の実施形態による画像コンテンツの表示例を説明するための図である。図６に示すように、表示制御装置１は、表示部１２の周辺に存在する実オブジェクト５の位置に応じて、表示部１２に表示する画像コンテンツ３０の表示サイズや位置を変更する。
【００５９】
表示部１２の周辺に存在する実オブジェクト５の位置は、表示部１２周辺を撮像するよう設置された撮像部１９により撮像された撮像画像に基づいて検出されてもよいし、表示部１２に分散して内蔵された検知センサによる検知結果に基づいて検出されてもよい。検知センサは、撮像センサや、可視光／赤外光を発光および受光するセンサ等により実現される。
【００６０】
以上により、表示制御装置１は、壁面に設けられた表示部１２周辺に実オブジェクト５が設置されている場合でも、自動的に画像コンテンツ３０や疑似的オブジェクトを実オブジェクト５と重なる領域を避けて表示することができる。
【００６１】
なお、ユーザは、実オブジェクト５と重ならないよう画像コンテンツ３０や疑似的オブジェクトの表示サイズや位置の変更操作を行ってもよい。変更操作の入力は、リモートコントローラにより表示制御装置１に発信してもよいし、表示部１２が操作入力部１４と一体化したタッチパネルディスプレイの場合、ユーザは壁面のタッチパネルに直接触って変更操作を行ってもよい。
【００６２】
［２−３．第３の実施形態］
上記第１、第２の実施形態では、表示部１２に画像コンテンツ３０を表示する場合について図示したが、本開示による制御システムでは、画像コンテンツ３０以外にも、家具や設備の疑似的なオブジェクトを表示可能である。以下、図７〜図８を参照して具体的に説明する。
【００６３】
図７は、第３の実施形態による複数種類の疑似的なオブジェクトの表示例を説明するための図である。図７に示すように、表示制御装置１は、疑似的なオブジェクトとして、テレビジョン装置４１や壁掛け時計４２を表示部１２に表示することができる。図７に示すテレビジョン装置４１は、表示装置の一例であって、本開示による表示装置はテレビジョン装置４１に限定されない。例えば表示装置は、ＰＣ（パーソナルコンピュータ）のデスクトップであってもよい。
【００６４】
また、表示制御装置１は、テレビジョン装置４１や壁掛け時計４２の種類、表示サイズ、デザイン、表示位置、数量等を、ユーザの指示に応じて変更してもよいし、時刻やコンテンツ内容に応じて自動的に変更してもよい。例えば、表示制御装置１は、朝の時間帯は現在時間を知りたいというニーズが高いことから、時計４２をテレビジョン装置４１より大きく表示したり、夕方から夜の時間帯は部屋でリラックスしたいというニーズが高いことから、時計４２よりテレビジョン装置４１を大きく表示したりしてもよい。また、表示制御装置１は、例えばテレビジョン装置４１で再生する画像コンテンツが映画である場合、ＴＶ番組を再生する場合よりも大きく表示してもよい。
【００６５】
なお、表示部１２に表示される疑似的なテレビジョン装置４１や壁掛け時計４２は、実世界のテレビジョン装置や壁掛け時計と同等の挙動を示す。すなわち、表示制御装置１は、疑似的な壁掛け時計４２で現在時刻を示すよう表示制御する。また、表示制御装置１は、図７に示すように、疑似的なテレビジョン装置４１の表示画面部分に、ユーザに選択された画像コンテンツの再生画面を配置するよう表示制御する。これにより、表示部１２に表示される疑似的なオブジェクトが実世界の同オブジェクトと同等の挙動を示す（オブジェクトの機能を実装させる）ことが可能となる。
【００６６】
さらに、図７に示す例では、異なる種類の疑似的オブジェクトを複数表示しているが、本実施形態による指示的オブジェクトの表示例はこれに限定されず、図８に示すように同種類の疑似的オブジェクトを複数表示してもよい。
【００６７】
図８は、第３の実施形態による同種類の疑似的なオブジェクトの表示例を説明するための図である。図８に示すように、表示制御装置１は、ユーザ操作に応じて、複数の疑似的なテレビジョン装置４１Ａ、４１Ｂを表示し、各々異なる画像コンテンツ３０Ａ、３０Ｂを再生することが可能である。
【００６８】
これにより、一人のユーザが複数の画像コンテンツを視聴することや、複数のユーザが各々好みの画像コンテンツを視聴することが可能である。
【００６９】
なお、疑似的なテレビジョン装置４１を表示した場合の音声出力は、表示部１２の周辺または表示部１２に内蔵されたオーディオ出力部１３から出力される。ここで、図８に示すように各々異なる画像コンテンツ３０Ａ、３０Ｂが再生される場合、表示制御装置１は、オーディオ出力部１３から出力する音声信号のパラメータを変更し、各ユーザに各コンテンツの音声が届くよう音声出力の指向性を調整することも可能である。
【００７０】
［２−４．第４の実施形態］
上記第１〜第３の実施形態では、疑似的なコンテンツの機能を実装させるための制御として、主に表示制御を行う場合について説明したが、本開示による機能実装のための制御はこれに限定されず、例えば主に音響制御を行う場合も想定される。以下、図９を参照して具体的に説明する。
【００７１】
図９は、第４の実施形態による疑似的なスピーカの機能を実装させる場合について説明するための図である。図９に示すように、本実施形態では、表示部１２の背面にアレイ状のオーディオ出力部１３が内蔵されている。この場合、ユーザは表示部１２に表示する疑似的なスピーカ４３Ａ、４３Ｂ（音声出力装置）を選択することができ、また、疑似的なスピーカのデザイン、大きさ、位置、角度、数量等もユーザの好みに合わせて調整可能である。
【００７２】
そして、表示制御装置１の音声出力制御部１４０は、疑似的なスピーカ４３Ａ、４３Ｂの表示位置周辺に内蔵されているオーディオ出力部１３から、ユーザに選択された音響コンテンツ（オーディオ信号）を出力するよう制御する。これにより、ユーザは、表示部１２に表示された疑似的なスピーカ４３Ａ、４３Ｂが実際にオーディオ出力しているように認識することができる。
【００７３】
また、音声出力制御部１４０は、疑似的なスピーカ４３Ａ、４３Ｂの大きさ、位置、角度、数等に応じてオーディオ出力部１３から出力するオーディオ信号を演算してもよい。具体的には、音声出力制御部１４０は、オーディオ出力部１３から出力するオーディオ信号の音質、音源面積、音源位置、音源方向等を、疑似的なスピーカ４３Ａ、４３Ｂの大きさ、位置、角度、数等に応じて調整する。
【００７４】
また、本実施形態では、図９に示すように表示部１２全体の背面にアレイ状のオーディオ出力部１３を内蔵することで、表示部１２のどこに疑似的なスピーカ４３Ａ、４３Ｂが表示されても対応することができる。
【００７５】
なお、音声出力制御部１４０は、疑似的なスピーカ４３Ａ、４３Ｂの表示位置周辺以外に内蔵されているオーディオ出力部１３から出力されるオーディオの指向性を調整し、表示位置周辺から聞こえるよう制御することも可能である。
【００７６】
さらに、本実施形態による表示制御装置１は、オーディオ出力部１３から出力する音響を変更せずとも、疑似的なスピーカ４３をより大きく、より高級感があるデザインで表示することで、高音質の音響が提供されているようなバーチャル体験を提供できる。
【００７７】
［２−５．第５の実施形態］
続いて、疑似的なオブジェクトが操作機器である場合について図１０を参照して説明する。図１０は、第５の実施形態による疑似的な操作機器における機能実装について説明するための図である。
【００７８】
図１０に示すように、表示部１２に、疑似的オブジェクトとして、テレビジョン装置４１、スピーカ４３Ａ、４３Ｂ、およびＡＶ（Ａｕｄｉｏ  Ｖｉｓｕａｌ）装置用の操作機器４４が表示されている。操作機器４４は、アンプおよびイコライザ等を有する高級オーディオ、ミニコンポ、ラジオカセットレコーダー等であってもよい。
【００７９】
ユーザは、疑似的な操作機器４４を操作することで、疑似的なスピーカ４３Ａ、４３Ｂから再生される音響を任意制御することができる。ここで、疑似的なスピーカ４３Ａ、４３Ｂから再生される音響は、第４の実施形態と同様に、表示部１２の背面に内蔵されたアレイ状のオーディオ出力部１３により出力してもよい。
【００８０】
操作機器４４の操作は、例えば図１０に示す実オブジェクトのリモートコントローラ６で行う。表示制御装置１の操作入力部１４は、リモートコントローラ６から赤外線や電波等の無線で発信された信号を、ユーザによる操作入力として受け付け、制御部１０に出力する。制御部１０の表示制御部１３０は、操作入力部１４が受け付けたユーザ操作に応じて、操作機器４４のボリューム表示や曲名表示等を変更する。
【００８１】
また、制御部１０の音声出力制御部１４０は、ユーザ操作に応じて、オーディオ出力部１３から出力する音響の楽曲選択やボリューム調整等、オーディオ出力部１３に対するパラメータの変更を行う。これにより、ユーザは、表示部１２に表示された疑似的な操作機器４４が、実際にユーザの操作に応じてスピーカ４３Ａ、４３Ｂから出力する音響を制御しているように認識することができる。
【００８２】
なお、リモートコントローラ６は、ユーザ所有の通信端末（携帯電話、スマートフォン、タブレット端末等）により実現されてもよい。
【００８３】
また、操作入力部１４が表示部１２に一体的に設けられるタッチパネル等の位置入力デバイスで実現される場合、操作機器４４の操作は、図１０に示すように表示部１２（操作入力部１４）に表示される操作機器４４の操作部画像にタッチして行ってもよい。操作部画像は、例えば再生ボタン、停止ボタン、早送りボタン、巻き戻しボタン、ボリュームダイヤル等を含む。表示制御装置１の操作入力部１４は、表示画面の各ボタンにタッチする操作やボリュームダイヤルを回転させるようなぞる操作を、ユーザによる操作入力として受け付け、制御部１０に出力する。
【００８４】
さらに、操作入力部１４は、撮像部１９により撮像したユーザのジェスチャー動作を解析してジェスチャーを認識し、ユーザ操作として受け付けてもよい。
【００８５】
以上、ＡＶ機器用の操作機器４４に対する操作について説明したが、本実施形態は操作機器４４に対する操作に限定されず、他の疑似的なオブジェクトの操作部に対する操作も同様に可能である。例えば、疑似的なテレビジョン装置４１に電源ＯＮ／ＯＦＦのスイッチ画像が含まれている場合、ユーザはスイッチ画像をタッチし、電源ＯＮ／ＯＦＦ（テレビジョン装置４１内に配置されるコンテンツ再生画面の表示／非表示）を操作することができる。
【００８６】
（配線操作）
また、本実施形態による疑似的オブジェクトに対する操作は、疑似的オブジェクトの操作部に対する操作に限定されず、複数の疑似的オブジェクト間の配線を操作することも可能である。以下、図１１を参照して具体的に説明する。
【００８７】
図１１は、第５の実施形態による疑似的な機器間の配線操作について説明するための図である。図１１に示すように、表示部１２に、疑似的オブジェクトとして、テレビジョン装置４１、スピーカ４３Ａ、４３Ｂ、操作機器４４、レコーダ（記録機器）４５、プレーヤー（再生機器）４６、およびケーブル４７Ａ、４７Ｂ、４７Ｃ、４７Ｄが表示されている。なお、本実施形態では、図１１に示すように、疑似的なテレビジョン装置４１、スピーカ４３Ａ、４３Ｂ、操作機器４４等の裏側が表示され、通常裏側に設けられている入力端子に対する操作が行われる。
【００８８】
疑似的なケーブル４７Ａ〜４７Ｄは、複数の疑似的オブジェクト間のＩ／Ｏ接続を行うために利用される。例えば、図１１に示すように、ケーブル４７Ｄは、テレビジョン装置４１とスピーカ４３Ａを接続している。また、本実施形態による表示部１２は、操作入力部１４と一体化したタッチパネルディスプレイであって、ユーザは、ケーブル４７Ａをタッチしたまま所定の入力端子まで移動させて、任意の配線操作を行うことができる。
【００８９】
このような疑似的なケーブル４７による配線に応じて、制御部１０は、複数の疑似的なオブジェクト間の信号入出力を制御する。例えば、図１１に示すように、テレビジョン装置４１とレコーダ４５がケーブル４７Ａにより接続された場合、制御部１０は、ユーザ操作に応じて、テレビジョン装置４１の表示画面で再生するコンテンツをレコーダ４５に対応付けて記憶部１６に記憶する。そして、制御部１０は、レコーダ４５に記憶されているコンテンツリストとして、当該記憶したコンテンツを示したり、ユーザ操作に応じて、テレビジョン装置４１の表示画面で再生したりする。
【００９０】
このように、ユーザは、複数の疑似的なオブジェクト間の配線を疑似的なケーブル４７で任意に変更することができ、配線に応じて信号の入出力が制御されることで、各疑似的オブジェクトはより実世界の同オブジェクトと同等の機能を発揮することができる。
【００９１】
［２−６．第６の実施形態］
次に、本開示による疑似的オブジェクトが鏡の場合について図１２を参照して具体的に説明する。
【００９２】
図１２は、第６の実施形態において疑似的オブジェクトが鏡の場合について説明するための図である。図１２に示すように、表示部１２には、疑似的オブジェクトとして鏡４８が表示されている。
【００９３】
表示制御装置１は、撮像部１９により疑似的な鏡４８に対向するユーザ７を撮像する。そして、制御部１０の表示制御部１３０は、撮像部１９により撮像された撮像画像を、リアルタイムで鏡像として鏡４８の配置領域３２に表示するよう制御する。これにより、ユーザ７は、疑似的な鏡４８に自身の姿を映して見ることができる。
【００９４】
なお、配置領域３２に表示される鏡像の位置と、撮像部１９の位置に差があると、ユーザ７と鏡像に視差が生じてしまう。そこで、本実施形態では、撮像部１９を表示部１２に埋め込んで、鏡４８の表示位置周辺に内蔵された撮像部１９で撮像した撮像画像を鏡像として配置領域３２に表示してもよい。これにより、ユーザと鏡像との視差は大きく低減され、または少なくとも事実上除去される。
【００９５】
さらに、本実施形態では、表示部１２全体にアレイ状に撮像部１９を内蔵することで、表示部１２のどこに疑似的な鏡４８が表示されても対応することができる。より具体的には、図１２に示すように、複数の撮像素子（すなわち画像センサ１９１）と複数の表示画素１２１を、表示部１２のビジュアル通信システムを形成する別個の層または同基板上に配置する。画像センサ１９１および表示画素１２１は、図１２に示すように、縦横が異なるタイプであるよう配置されてもよいし、複数の同タイプから成るグループが縦横異なるグループであるよう配置されてもよい。
【００９６】
複数の画像センサ１９１は、例えば電荷結合素子（ＣＣＤ）センサであって、外側表面上に設けられるマイクロレンズアレイ（不図示）からの光をキャプチャして、協働して画像を撮像する。また、複数の表示画素１２１は、例えば液晶ディスプレイ（ＬＣＤ）画素であって、表示制御部１３０の指示に従って協働して撮像画像を表示する。
【００９７】
これにより、疑似的な鏡４８の配置領域３２に表示される鏡像とユーザ７の視差が大きく低減され、かつ鏡４８は表示部１２のどの位置にもユーザの任意に応じて表示され得る。
【００９８】
以上説明した例では、撮像部１９の位置と鏡４８の表示位置との差異を低減することで視差を低減しているが、本実施形態による視差の低減方法はこれに限定されず、例えば画像処理により視差を低減する方法であってもよい。制御部１０は、撮像部１９の位置と鏡４８の表示位置との差異に応じて、撮像部１９で撮像された撮像画像のユーザの目線を加工し、視差を低減した鏡像を生成してもよい。
【００９９】
また、本実施形態による制御部１０は、表示部１２が設けられている壁の四隅に設置された複数の撮像部１９により撮像された撮像画像を合成処理し、鏡像を生成してもよい。
【０１００】
以上、本開示による疑似的オブジェクトが鏡の場合について具体的に説明した。なお、鏡４８の配置領域に表示される画像は鏡像に限定されず、撮像画像に基づいて痩せ顔や美白の加工、グラフィックと合成する加工等を行った加工画像を表示してもよい。これにより、実世界の鏡の機能に所定の加工機能を付加することができる。
【０１０１】
また、疑似的な鏡４８のフレームデザイン、サイズ、表示位置、数量等は、当然ユーザ操作により任意に変更可能である。
【０１０２】
［２−７．第７の実施形態］
次に、本開示による疑似的オブジェクトが収納家具の場合について図１３〜図１４を参照して具体的に説明する。
【０１０３】
図１３および図１４は、第７の実施形態において疑似的オブジェクトが収納家具の場合について説明するための図である。図１３に示すように、本実施形態では、表示部１２が設置されている壁面の一部に、引き出しや扉等を有する収納家具８が埋め込まれている。収納家具８の引き出しや扉等の表面には表示部１２が設けられているので、収納家具８を利用しない場合は、図１３に示すように、表示部１２の一部として、画像コンテンツ３０を表示することができ、壁面を有効活用することが可能である。
【０１０４】
一方、ユーザが収納家具８の利用を選択した場合は、図１４に示すように、表示制御部１３０は、収納家具８の引き出しや扉の位置に合せて、疑似的な収納家具４９の画像を表示する。収納家具４９のデザインはユーザが任意で、またはインテリアテーマに応じて自動的に設定され得る。但し、表示制御部１３０は、実際の引き出しや扉の位置に応じて疑似的な収納家具４９を表示する必要がある。
【０１０５】
また、扉や引き出しの開閉は、制御部１０が、ユーザ操作に応じてモータ駆動により制御してもよいし、プッシュ式としてもよい。
【０１０６】
また、扉や引出しの中に収納された物を登録しておくことで、ユーザは、実際に扉や引き出しを開けることなく、図１４に示すように収納物表示３４Ａ、３４Ｂが扉や引き出しの位置に対応付けて表示されることで、収納物を把握することができる。また、収納物の登録内容は、ユーザにより入力されてもよいし、扉や引き出しの内部に設置された撮像部１９により撮像された撮像画像であってもよい。
【０１０７】
なお、壁に埋め込まれている収納家具は、図１３および図１４に示す例に限定されず、例えば、複数の収納部と一つの取り出し口を有する機械式収納家具（実オブジェクト）であってもよい。かかる機械式収納家具は、複数の収納部を格納領域と取り出し口領域間で移動させる構造を有し、物の出し入れが行われる場合は、収納部を取り出し口領域に移動させ、出し入れ終了後は、収納部を格納領域に格納する。
【０１０８】
以上図１３および図１４を用いて、壁面に実オブジェクトである収納家具８が埋め込まれ、疑似的な収納家具４９に実世界の物を収納する機能を実装させる場合について説明したが、本実施形態による疑似的な収納家具４９の収納対象は、実世界の物に限定されない。例えば、疑似的な収納家具４９は、電子書籍等の電子データを、実世界の物と同様に収納する機能を有する。以下、図１５を参照して具体的に説明する。
【０１０９】
図１５は、第７の実施形態において、電子書籍を収納する場合について説明するための図である。図１５に示すように、表示制御部１３０は、疑似的な収納家具４９’を表示部１２に表示し、収納家具４９’の棚部分に電子書籍の背表紙や表紙を並べて表示する。
【０１１０】
このように、実世界の本棚と同等に、収納家具４９’に電子書籍（電子データ）を収納することができる。
【０１１１】
なお、表示部１２が操作入力部１４と一体化されたタッチパネルディスプレイにより実現されている場合、ユーザは、表示部１２に表示されている電子書籍のうち閲覧したい電子書籍をタッチして選択する。制御部１０は、ユーザによるタッチ操作に応じて、選択された電子書籍を例えば図１５に示すように収納家具４９’の外側に表示し、ページ捲り等のユーザ操作に応じて電子書籍の内容を提示する。
【０１１２】
［２−８．第８の実施形態］
次に、本開示による疑似的オブジェクトが掲示板の場合について図１６を参照して具体的に説明する。図１６は、第８の実施形態において疑似的オブジェクトが掲示板の場合について説明するための図である。
【０１１３】
図１６に示すように、本実施形態による表示制御部１３０は、壁面に設けられた表示部１２に、疑似的な掲示板５０を表示する。また、表示制御部１３０は、掲示板５０の配置領域に、ユーザに選択された画像コンテンツ３７を表示する。この際、表示制御部１３０は、実世界オブジェクトの掲示板に写真が貼られているような表現を実現する。
【０１１４】
具体的には、例えば図１６に示すように、掲示板５０の配置領域において、画像コンテンツ３７が画鋲で留められているように加工したり、画像コンテンツ３７を、水平方向に対して所定の角度を持たせて斜めになるよう表示したりする。
【０１１５】
また、画像コンテンツ３７は、写真画像、メモ、絵、カレンダー（スケジュール表示を含んでもよい）等の他、ビデオ（動画像）であってもよい。
【０１１６】
また、表示制御装置１は、ネットワーク４経由でサーバ３からメモやスケジュール等の更新情報を取得し、最新の情報を疑似的な掲示板５０に表示してもよい。
【０１１７】
なお、掲示板５０のデザイン、サイズ、表示位置、数量等は、当然にユーザ操作に応じて任意に変更可能である。
【０１１８】
また、本実施形態による表示制御部１３０は、掲示板５０を表示せずに、直接壁に写真やメモ等の画像コンテンツ３７が貼り付けられているように表現してもよい。
【０１１９】
また、本実施形態による表示制御部１３０は、掲示板５０の他、疑似的な額縁を表示し、ユーザに選択された画像コンテンツ３７を疑似的な額縁の配置領域に表示してもよい。
【０１２０】
［２−９．第９の実施形態］
次に、本開示による疑似的オブジェクトが部屋の内部の場合について図１７を参照して具体的に説明する。図１７は、第９の実施形態において疑似的オブジェクトが部屋の内部の場合について説明するための図である。
【０１２１】
図１７に示すように、本実施形態による表示制御部１３０は、壁面に設けられた表示部１２に、疑似的な部屋の内部５２を表示する。さらに、当該部屋の内部５２は、図１７に示すように遠近処理を施した画像であって、このような部屋の内部５２が壁面に表示することで、視覚的な錯覚により部屋を広く見せることができる。
【０１２２】
また、部屋の内部５２の種類は、ユーザ操作に応じて任意に変更することも可能であるし、インテリアテーマに応じて自動的に設定することも可能である。
【０１２３】
また、本実施形態による制御部１０は、室内に設けられた撮像部１９により部屋の内部を撮像した撮像画像に基づいて、映像演算部１７により遠近処理を施した画像を生成してもよい。これにより、本実施形態による表示制御装置１は、実世界の部屋の壁や床と実際に連続しているように見える疑似的な部屋の内部５２を表示部１２に表示することが可能となる。
【０１２４】
［２−１０．第１０の実施形態］
次に、本開示による疑似的オブジェクトが窓の場合について図１８を参照して具体的に説明する。図１８は、第１０の実施形態において疑似的オブジェクトが窓の場合について説明するための図である。
【０１２５】
図１８に示すように、本実施形態による表示制御部１３０は、壁面に設けられた表示部１２に、疑似的な窓５３を表示する。窓５３のデザインやサイズ、表示位置、数量等は、ユーザ操作により当然に任意で変更可能である。
【０１２６】
また、表示制御部１３０は、窓５３の配置領域に風景コンテンツ３８を表示する。風景コンテンツ３８の種類は、ユーザ操作により任意の場所の風景に変更可能である。また、表示制御部１３０は、現在の時刻に応じた風景を表示してもよい。
【０１２７】
さらに、屋外に複数配置されているカメラが撮像している撮像画像（風景コンテンツ）を、ネットワーク４を経由して実時間で取得できるシステムが構築されている場合、表示制御部１３０は、ユーザ指定の場所の風景をリアルタイムで表示することができる。
【０１２８】
また、表示制御装置１は、風景コンテンツ３８の表示と共に、風景コンテンツ３８に対応付けられた音声をオーディオ出力部１３から出力してもよい。例えば海の風景が疑似的な窓５３に表示されている場合に、海の音を再生することで、本実施形態による表示制御装置１は、実際に窓から海を見ているようなバーチャル体験をユーザに提供することができる。
【０１２９】
なお、本実施形態による表示制御部１３０は、窓５３が壁一面であると定義した場合、窓枠を表示せず、風景コンテンツ３８が壁一面に表示するよう制御してもよい。
【０１３０】
（天窓）
以上図１８を用いて、壁面に疑似的な窓５３を表示する場合について説明したが、本実施形態による疑似的な窓５３は、図１８に示す例に限定されず、例えば天窓であってもよい。以下、図１９を参照して具体的に説明する。図１９は、第１０の実施形態において疑似的オブジェクトが天窓の場合について説明するための図である。
【０１３１】
本実施形態では、表示部１２が天井に設置されている。そして、本実施形態による表示制御部１３０は、図１９に示すように、疑似的な天窓５４を天井の表示部１２に表示する。天窓５４のデザインやサイズ、表示位置、数量等は、ユーザ操作により当然に任意で変更可能である。
【０１３２】
また、表示制御部１３０は、天窓５４の配置領域に風景コンテンツ３９を表示する。天窓５４に表示される風景コンテンツ３９は、空や宇宙の画像である。また、天窓５４に表示される空や宇宙の画像の種類は、ユーザ操作により任意の画像に変更可能である。また、上記と同様に、表示制御部１３０は、現在の時刻に応じた空や宇宙の画像を表示してもよい。
【０１３３】
さらに、上記と同様に、屋外に複数配置されているカメラが撮像している空の撮像画像を、ネットワーク４を経由して実時間で取得できるシステムが構築されている場合、表示制御部１３０は、ユーザ指定の場所の空の風景をリアルタイムで表示することができる。
【０１３４】
また、表示制御装置１は、風景コンテンツ３９の表示と共に、風景コンテンツ３９に対応付けられた音声をオーディオ出力部１３から出力してもよい。
【０１３５】
［２−１１．第１１の実施形態］
次に、本開示による疑似的オブジェクトが照明機器の場合について図２０を参照して具体的に説明する。図２０は、第１１の実施形態において疑似的オブジェクトが照明機器の場合について説明するための図である。
【０１３６】
図２０に示すように、本実施形態による表示制御部１３０は、天井に設けられた表示部１２に、疑似的な照明機器５５を表示する。照明機器５５のデザイン、サイズ、表示位置、数量、照度、照明の色等は、ユーザ操作により当然に任意で変更可能である。
【０１３７】
このように、天井一面を表示部１２とし、疑似的な照明機器５５を表示することで、表示部１２からの発光を疑似的な照明機器５５による照明として提供することが可能となる。
【０１３８】
なお、図２０に示す例では、天井に設けられた表示部１２に疑似的な照明機器５５を表示しているが、照明機器５５の種類は天井に設けられる照明に限定されず、スタンド式の照明機器であってもよい。具体的には、表示制御装置１は、壁面に設けられた表示部にスタンド式の照明機器（不図示）を表示する。
【０１３９】
［２−１２．第１２の実施形態］
次に、本開示による疑似的オブジェクトが絨毯の場合について図２１を参照して具体的に説明する。図２１は、第１２の実施形態において疑似的オブジェクトが絨毯の場合について説明するための図である。
【０１４０】
図２１に示すように、本実施形態による表示制御部１３０は、床に設けられた表示部１２に、疑似的な絨毯５６を表示する。絨毯５６のデザイン、サイズ、表示位置等は、ユーザ操作により当然に任意で変更可能である。また、絨毯５６のデザインは、室温や季節等に応じて自動的に設定されてもよい。
【０１４１】
このように、床一面を表示部１２とし、疑似的な絨毯５６を表示することで、インテリア効果や部屋の雰囲気を演出することが可能となる。
【０１４２】
なお、図２１に示す例では、疑似的な絨毯５６を表示しているが、床に設けられた表示部１２に表示される疑似的オブジェクトは絨毯に限定されず、例えば疑似的なフローリング、畳、コンクリート、芝生、または土等であってもよい。
【０１４３】
＜３．まとめ＞
上述したように、本実施形態による制御システムでは、疑似的なオブジェクトを実世界のオブジェクトと同様に利用することができる。すなわち、本実施形態による制御システムでは、壁や天井に設けられた表示部１２に、疑似的なオブジェクトの画像を表示し、実世界の同オブジェクトと同等の機能を実装させるよう、表示部１２やオーディオ出力部１３等の各デバイスを制御する。
【０１４４】
また、疑似的なオブジェクトのデザイン、サイズ、表示位置、数量等は、ユーザ操作に応じて任意に変更可能であるので、ユーザの気分やインテリアテーマに応じて、いつでも自由にカスタマイズすることができる。
【０１４５】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４６】
例えば、上記各実施形態では、壁や天井一面に表示部１２が設けられている場合について説明したが、本開示による制御システムでは、少なくとも壁や天井の一部に表示部１２が設けられていてもよい。
【０１４７】
また、上記各実施形態では、壁または天井の一方に表示部１２が設けられている場合について説明したが、本開示による制御システムでは、壁または天井を含む２面以上に表示部１２が設けられてもよい。
【０１４８】
また、上記各実施形態において、表示部１２が操作入力部１４と一体化したタッチパネルディスプレイである場合について説明したが、この場合、壁一面のタッチパネルディスプレイのうち所定の領域毎にタッチパネル機能のＯＮ／ＯＦＦを制御してもよい。例えば、表示部１２に表示された疑似的オブジェクトの操作部領域等、ユーザによるタッチ操作が想定される領域のみタッチパネルの機能をＯＮにし、その他の領域はＯＦＦにするよう制御してもよい。
【０１４９】
なお、本技術は以下のような構成も取ることができる。
（１）
疑似的なオブジェクトの種類と表示位置を設定する設定部と、
前記設定された疑似的なオブジェクトの機能を、前記設定された表示位置の周辺に配されるデバイスに実装するためのパラメータを取得する取得部と、
前記デバイスの一つである表示部に、前記パラメータに従って前記疑似的なオブジェクトを表示する表示制御部と、
を備える、表示制御装置。
（２）
前記設定部は、表示部に表示している疑似的なオブジェクトの種類と位置を変更可能である、前記（１）に記載の表示制御装置。
（３）
前記表示制御部は、前記表示部周辺に存在する実オブジェクトの位置に応じて、前記表示部に表示する前記疑似的なオブジェクトが前記実オブジェクトと重ならないよう表示位置を変更する、前記（１）または（２）に記載の表示制御装置。
（４）
前記設定部は、前記疑似的なオブジェクトのサイズを設定する、前記（１）〜（３）のいずれか１項に記載の表示制御装置。
（５）
前記デバイスは、音声出力部または撮像部を含む、前記（１）〜（４）のいずれか１項に記載の表示制御装置。
（６）
前記疑似的なオブジェクトは表示装置を含み、
前記表示制御部は、前記パラメータに従って、疑似的な表示装置の画像における表示面に、ユーザにより選択されたコンテンツの再生画面を配置する、前記（１）〜（５）のいずれか１項に記載の表示制御装置。
（７）
前記デバイスは、表示機能および音声出力機能を有し、
前記疑似的なオブジェクトは音声出力装置を含み、
前記表示制御部は、疑似的な音声出力装置の画像を前記パラメータに従って前記デバイスに表示し、
前記表示制御装置は、前記パラメータに従って、前記デバイスから音声を出力するための音声制御を行う音声制御部をさらに備える、前記（１）〜（６）のいずれか１項に記載の表示制御装置。
（８）
前記デバイスは、表示機能および撮像機能を有し、
前記疑似的なオブジェクトは鏡を含み、
前記表示制御部は、疑似的な鏡の画像を前記パラメータに従って前記デバイスに表示し、前記撮像機能により撮像した撮像画像に基づき、前記疑似的な鏡の配置領域に鏡像を配置する、前記（１）〜（７）のいずれか１項に記載の表示制御装置。
（９）
前記デバイスの表示面には、操作検出機能が設けられ、
前記疑似的なオブジェクトは操作機器を含み、
前記表示制御部は、疑似的な操作機器の画像を前記パラメータに従って前記デバイスに表示し、
前記表示制御装置は、疑似的な操作機器の画像に対するユーザ操作を前記操作検出機能により検出し、検出したユーザ操作に応じた制御を行う、前記（１）〜（８）のいずれか１項に記載の表示制御装置。
（１０）
前記疑似的なオブジェクトは部屋の内部であり、
前記表示制御部は、遠近処理を施した疑似的な部屋の内部の画像を前記パラメータに従って前記デバイスに表示する、前記（１）〜（９）のいずれか１項に記載の表示制御装置。
（１１）
前記疑似的なオブジェクトは窓を含み、
前記表示制御部は、前記パラメータに従って疑似的な窓の画像を表示し、窓枠内に屋外の画像を配置する、前記（１）〜（１０）のいずれか１項に記載の表示制御装置。
（１２）
前記疑似的なオブジェクトは照明機器を含み、
前記表示制御部は、前記パラメータに従って疑似的な照明機器の画像を表示する、前記（１）〜（１１）のいずれか１項に記載の表示制御装置。
（１３）
前記疑似的なオブジェクトは収納家具を含み、
前記表示制御部は、前記デバイスの表示面の後方に配置された実オブジェクトである収納家具の位置に対応するよう、疑似的な収納家具の画像を表示する、前記（１）〜（１２）のいずれか１項に記載の表示制御装置。
（１４）
前記疑似的なオブジェクトは掲示板を含み、
前記表示制御部は、前記パラメータに従って疑似的な掲示板の画像を表示し、掲示板の枠内に、ユーザにより選択された静止画像または動画像を配置する、前記（１）〜（１３）のいずれか１項に記載の表示制御装置。
（１５）
前記疑似的なオブジェクトの機能は、実世界における前記オブジェクトと等価な挙動を示す、前記（１）〜（１４）のいずれか１項に記載の表示制御装置。
（１６）
疑似的なオブジェクトの種類と表示位置を設定するステップと、
前記疑似的なオブジェクトの機能を、前記表示位置の周辺に配されるデバイスに実装するためのパラメータを取得するステップと、
前記デバイスの一つである表示部に、前記取得するステップにより取得したパラメータに従って前記疑似的なオブジェクトを表示するよう制御するステップと、
を含む、表示制御方法。
（１７）
コンピュータを、
疑似的なオブジェクトの種類と表示位置を設定する設定部と、
前記疑似的なオブジェクトの機能を、前記表示位置の周辺に配されるデバイスに実装するためのパラメータを取得する取得部と、
前記デバイスの一つである表示部に、前記取得部により取得したパラメータに従って前記疑似的なオブジェクトを表示するよう制御する表示制御部、
として機能させるための、プログラムが記録された記録媒体。
【符号の説明】
【０１５０】
１    表示制御装置
３    サーバ
４    ネットワーク
６    リモートコントローラ
７    ユーザ
８    収納家具
１０    制御部
１２    表示部
１３    オーディオ出力部
１４    操作入力部
１５    通信部
１６    記憶部
１７    映像演算部
１８    オーディオ演算部
１９    撮像部
２０    バス
１１０    設定部
１２０    パラメータ取得部
１３０    表示制御部
１４０    音声出力制御部１４０
３０、３０Ａ、３０Ｂ、３７    画像コンテンツ
３２    配置領域
３４Ａ、３４Ｂ    収納物表示
３８、３９    風景コンテンツ
４１、４１Ａ、４１Ｂ    テレビジョン装置（疑似的オブジェクト）
４２    壁掛け時計（疑似的オブジェクト）
４３、４３Ａ、４３Ｂ    スピーカ（疑似的オブジェクト）
４４    操作機器（疑似的オブジェクト）
４５  レコーダ（疑似的オブジェクト）
４６    プレーヤー（疑似的オブジェクト）
４７、４７Ａ〜４７Ｄ    ケーブル（疑似的オブジェクト）
４８    鏡（疑似的オブジェクト）
４９、４９’    収納家具（疑似的オブジェクト）
５０    掲示板（疑似的オブジェクト）
５２    部屋の内部（疑似的オブジェクト）
５３    窓（疑似的オブジェクト）
５４    天窓（疑似的オブジェクト）
５５    照明機器（疑似的オブジェクト）
５６    絨毯（疑似的オブジェクト）
【図１】
2014106837.tif 000003
【図２】
2014106837.tif 000004
【図３】
2014106837.tif 000005
【図４】
2014106837.tif 000006
【図５】
2014106837.tif 000007
【図６】
2014106837.tif 000008
【図７】
2014106837.tif 000009
【図８】
2014106837.tif 000010
【図９】
2014106837.tif 000011
【図１０】
2014106837.tif 000012
【図１１】
2014106837.tif 000013
【図１２】
2014106837.tif 000014
【図１３】
2014106837.tif 000015
【図１４】
2014106837.tif 000016
【図１５】
2014106837.tif 000017
【図１６】
2014106837.tif 000018
【図１７】
2014106837.tif 000019
【図１８】
2014106837.tif 000020
【図１９】
2014106837.tif 000021
【図２０】
2014106837.tif 000022
【図２１】
2014106837.tif 000023